(57)【要約】      （修正有）【課題】使用前後に最も簡単な動作で出し入れできるヘアドライヤー用収納具を提供する。【解決手段】下方に向けた排気口を先頭としてヘアドライヤーの風筒を差し込む形式の広口の筒体１を壁や家具など構造物に固定し又は吊り下げて使用するものであって、筒体１の上端周に最高部から最低部まで漸次低くなる高低差を設けることにより、上端周が成す差し込み口の面積が筒体１の断面積より大きいことと、差し込まれたヘアドライヤーのグリップ付け根が上端周のどちら向きであっても自重により降下する結果必ず最低部に係止するようにヘアドライヤー収納具を構成する。【選択図】図３
0003155662.tif 000002
【実用新案登録請求の範囲】
【請求項１】
ヘアドライヤーの風筒を差し込むべき筒体を設け、これを上下に貫通する向きに設置して使用するものであって、筒体の上端周に最高部から最低部まで漸次低くなる高低差を設けることにより、上端周が成す差し込み口の面積が筒体の直交断面積より大きく、差し込まれたヘアドライヤーのグリップ付け根が上端周の最低部に係止することを特徴とするヘアドライヤーホルダー
【請求項２】
壁や家具など構造物に吊り下げて設置するための被掛点を、差し込まれたヘアドライヤーより高い位置である筒体の上端周最高部付近に設けることにより、ヘアドライヤーの重心が被掛点とグリップ付け根の係止位置を通る線より奥側に収まることを特徴とする請求項１のへアドライヤーホルダー
【請求項３】
筒体の代わりに、差し込んだヘアドライヤーの風筒の外周を半分以上取り巻く形状の樹脂板又は金属板を用いることを特徴とする請求項１のヘアドライヤーホルダー
【考案の詳細な説明】
【技術分野】
【０００１】
本考案は、ヘアドライヤーの収納具に関するものである。
【背景技術】
【０００２】
ホテル客室の壁面に設置されているとおり、ヘアドライヤーの風筒を側面からはめ込む形式の収納具が実用に供されているが、当該収納具を付属品とするヘアドライヤーのみに適合することを前提としており、他のヘアドライヤーには使用できない。
【０００３】
洗面台下の収納庫扉に掛けるためのフック付きで金属製かご型のヘアドライヤーハンガーが実用に供されているが、ヘアドライヤー排気口の先端が水平の骨組みに当たって割れるおそれがあり、扉に掛ける以外に適していない構造であるため使用場所が限定される。
【０００４】
ヘアドライヤーの付属品として、ヘアドライヤー排気口ノズルを上から差し込むカップ型のヘアドライヤースタンドが実用に供されているが、底面が狭いためグリップを折り畳まないと倒れ、グリップを折り畳んでも不安定で狭い洗面台周辺では手が当たるなどして倒れ易い。
【０００５】
なお、収納具を使用しない収納方法として、グリップ端の電源コード付け根に設けられている輪をフックに掛ける方法は従前からあるが、これを使用する場合、使用時の把持姿勢から上下反転して小さな輪を掛ける動作を要する。
【先行技術文献】
【特許文献】
【０００６】
【特許文献１】特許公開２００２−２８０２３
【非特許文献】
【０００７】
【非特許文献１】株式会社  千趣会、&#8246;ドライヤーハンガー″（バス・洗面所用品の掲載商品）、［online］、通信販売サイト  ベルメゾンネット、 [平成２１年９月１４日検索]、インターネット〈URL：http://www.bellemaison.jp/ep/srvlt/EPFB00/EPFB0005/dProdDtlShow?BELN_SHOP_KBN=100&KAT_BTGO=699267_160_2009_B&SHNCRTTKKRO_KBN=R3&RECOM_KYU_KBN=1〉
【０００８】
【非特許文献２】小泉成器株式会社、&#8246;K cosmetist マイナスイオンドライヤー  KCD-1220″、［online］、オンラインカタログ、[平成２１年９月１４日検索]、インターネット〈URL：http://www.seiki.koizumi.co.jp/business/pdf_prdct/08koizumi_cosmetist_naka.pdf〉
【考案の概要】
【考案が解決しようとする課題】
【０００９】
この考案が解決しようとする課題は、使用前後に最も簡単な動作で出し入れできるヘアドライヤーの収納具を提供することである。
【課題を解決するための手段】
【００１０】
本考案は、ヘアドライヤーの風筒が収まる内径の筒体を、上下に貫通する向きにして洗面台周辺の壁や家具など構造物に固定し又は吊り下げて設置し、下に向けた排気口を先頭としてヘアドライヤー風筒を差し込み、グリップ付け根が筒体の上端周に係止する形式のヘアドライヤーホルダーである。
【００１１】
本考案のヘアドライヤーホルダーの筒体の上端には、最高部から最低部まで漸次低くなる高低差を設けることで、上端周が成す差し込み口は筒体の直交断面より大きく、差し込まれたヘアドライヤーのグリップがどちらを向いていても、筒体内を降下するに連れて最低部に係止する。
【００１２】
本考案のヘアドライヤーホルダーを構造物に吊り下げて設置するために用いる被掛点を、筒体の上端周最高部付近に設けるが、この位置は差し込んだヘアドライヤーより高く、グリップ付け根の係止位置と被掛点を通る線より奥側にヘアドライヤーの重心が収まるので、被掛点を介して吊り下げられたヘアドライヤーホルダーがヘアドライヤーの重さで転覆することはない。
【００１３】
本考案のヘアドライヤーホルダー筒体の上端周最低部は、ヘアドライヤーのグリップ付け根の下側が係止することで基本機能としては足りるが、上端周最低部がグリップ付け根の幅を左右両側から挟む形状にすれば、収納状態が更に安定する。
【考案の効果】
【００１４】
本考案のヘアドライヤーホルダーを洗面台の鏡の脇で使用者の肩の高さに設置すると、使用位置と収納場所の間が短く、使用時の把持状態のまま片手でヘアドライヤーの風筒を半ばまで差し込んで手を放すだけでヘアドライヤーが自重で安定して収まり、逆に、収納されたヘアドライヤーのグリップを握って取り出せば使用時の把持状態になるので、使用前後に持ち換えたりグリップを折り畳んだり起こしたりしなくて済むという利点がある。
【００１５】
本考案によれば、収納されたヘアドライヤーを持ち上げて使って元に戻す動作を繰り返す限り、電源コードがよじれることはなく、毎使用後に電源コードを束ねたり巻いたりする方法や、電源コード付け根の輪をフックに掛ける方法と比べて、電源コードが絡まったり電源コードの一部に反復してストレスが加わるおそれが少ないという利点がある。
【００１６】
本考案によれば、上端周が成す差し込み口はヘアドライヤーの排気口よりも大きいので差し込み易く、丁度適合するサイズの差し込み口に排気口を差し込む方法や、電源コード付け根の小さい輪をフックに掛ける方法と比べて、動作の位置関係にさほど注意を払わずとも済むという利点がある。
【００１７】
本考案によれば、ヘアドライヤーが洗面台のシンク周辺の台の上に場所を占めることがなく、高い位置に設置するので飛散する水滴からも免れ易いという利点がある。
【図面の簡単な説明】
【００１８】
【図１】ヘアドライヤーホルダーの側面図である。（実施例１）
【図２】ヘアドライヤーホルダーの正面図である。（実施例１）
【図３】二つの被掛点を利用したヘアドライヤーホルダーの側面図である。（実施例１）
【図４】ヘアドライヤーホルダーの側面図である。（実施例２）
【図５】ヘアドライヤーホルダーの正面図である。（実施例２）
【図６】二つの被掛点を利用したヘアドライヤーホルダーの側面図である。（実施例２）
【考案を実施するための形態】
【００１９】
使用時の把持状態のままヘアドライヤーを出し入れできる形状であって、ヘアドライヤーの使用場所において手の届く位置に設置することを想定して収納具を具現化した。
【実施例】
【００２０】
実施例１は図１及び図２で示すとおり、全長３０ｃｍのプラスチック製テーパー筒体１の径が広い方を上に向けた状態で、上端周２には最高部から最低部まで漸次低くなる１６ｃｍの高低差をつけ、上端周最低部３の幅２ｃｍ分は更に２ｃｍ低くした形状を施し、最高部の上端から５ｍｍの位置と下端から５ｍｍの位置にそれぞれ被掛点４となる穴を設けたものである。
【００２１】
実施例１において上側の被掛点のみを使用する場合、壁や家具などに取り付けたフックに被掛点を掛けて設置する。
【００２２】
実施例１において上下の被掛点を使用する場合、図３で示すとおり１本の紐の両端を両被掛点に通してそれぞれ結び止め、紐留めに通したループを壁や家具などに取り付けたフックに掛けて高さや角度を使いやすいよう調整して設置する。
【００２３】
多くの住宅において洗面台は鏡を正面として左右の壁でコの字型に囲まれた構造であり、左右いずれかの壁内角に沿うようヘアドライヤーホルダーを設置すると、紐で吊り下げて設置しても出し入れ時に揺れにくい。
【００２４】
本考案のヘアドライヤーホルダーを使用者の背丈より高い位置に設置すれば、ヘアドライヤーを収納したまま使用することも可能で、この場合両手が自由になる。
【００２５】
実施例２は図４及び図５で示すとおり、縦３０ｃｍ横２８ｃｍの対角線が横の中央と下から１１ｃｍで直角に交わる左右対称の四角形の角を落とした形状で厚さ０．５ｍｍのポリプロピレン樹脂板５の上下左右の端から５ｍｍの位置にそれぞれ穴を設け、樹脂板を丸めて左右の端を向かい合わせて穴６に通した紐７を丸めた板の外側を巻いて紐留め８で締めて紐の環を構成したものである。
【００２６】
実施例２のヘアドライヤーホルダーは、収納すべきヘアドライヤーをグリップの付け根が紐７に係るまで差し込んだ状態で環を成した紐７を締めて留めることで、樹脂板５の内径をヘアドライヤーの風筒の外径に適合するよう調整できる。
【００２７】
実施例２の設置方法は実施例１に準じ、上の被掛点のみ又は上下の被掛点を使用して設置する。なお、上下の被掛点を使用する場合には、図６で示すとおり、環を成した紐の紐留めより先の部分を被掛点に通してもよい。
【００２８】
実施例２はポリプロピレン樹脂板を巻いて紐で締めて筒体の代わりとしているが、材質の特性として平面に戻ろうとする力が働いており、その力は面積の差に応じて紐の上側が下側よりも強く、ヘアドライヤーを差し込んでいない状態では差し込み口を広げる作用として現れ、ヘアドライヤーを差し込む際には先細りになっている紐の下側を押し広げると同時に上側の径が絞られるので、ヘアドライヤーが係止するまでの衝撃を緩和する効果がある。
【産業上の利用可能性】
【００２９】
一般家庭において使用される日用雑貨の一種である。
【符号の説明】
【００３０】
１  筒体
２  上端周
３  上端周最低部
４  被掛点
５  樹脂版
６  穴
７  紐
８  紐留め
【図１】
0003155662.tif 000003
【図２】
0003155662.tif 000004
【図３】
0003155662.tif 000005
【図４】
0003155662.tif 000006
【図５】
0003155662.tif 000007
【図６】
0003155662.tif 000008